(57)【要約】【課題】イントロを再生した後、延々とサビを再生することで、表現力豊かな携帯電話機用楽曲データ再生方法を提供する。【解決手段】携帯電話機１０が着信信号を受信した時または携帯電話機１０がアラームを鳴動させる時に、マイクロコンピュータ４０が、シーケンサ５４に対して、記憶装置５２から、イントロデータを読み出すように指令する第１の指令ステップと、シーケンサ５４が記憶装置５２から楽曲データを読み出し終えたことをマイクロコンピュータ４０で検出する検出ステップと、この検出結果に応じて、マイクロコンピュータ４０が、シーケンサ５４に対して、記憶装置５２からサビデータＩｓ１〜Ｉｓ１０を読み出すように指令する第２の指令ステップとを有し、第２の指令ステップは、楽曲データＩを読み出し終えたことを検出する度に、サビデータＩｓ１〜Ｉｓ１０を読み出すように指令する携帯電話機用楽曲データ再生方法。【選択図】        図２
2004258187.tif 000002
【特許請求の範囲】
【請求項１】
時系列に並んだ複数の旋律データから構成され、先頭に並ぶ第１の旋律データと、この第１の旋律データの後に並ぶ第２の旋律データとを含む楽曲データを記憶する記憶装置と、この記憶装置から前記旋律データを順次読み出して再生するシーケンサと、このシーケンサを制御するシーケンサ制御部とを用いた携帯電話機用楽曲データ再生方法において、
前記携帯電話機が所定の信号を受信した時または前記携帯電話機がアラームを鳴動させる時に、前記シーケンサ制御部が、前記シーケンサに対して、前記記憶装置から、前記第１の旋律データを読み出すように指令する第１の指令ステップと、
前記シーケンサが前記記憶装置から前記楽曲データを読み出し終えたことを前記シーケンサ制御部で検出する検出ステップと、
この検出結果に応じて、前記シーケンサ制御部が、前記シーケンサに対して、前記記憶装置から前記第２の旋律データを読み出すように指令する第２の指令ステップとを有し、
前記第２の指令ステップは、前記楽曲データを読み出し終えたことを検出する度に、前記第２の旋律データを読み出すように指令することを特徴とする携帯電話機用楽曲データ再生方法。
【請求項２】
請求項１記載の携帯電話機用楽曲データ再生方法において、
前記第１の旋律データは、先頭から所定長さの部分に、無音の音符データを含んでおり、
前記第１の指令ステップに応じて、所定時間、前記記憶装置から前記無音の音符データが読み出されることを特徴とする携帯電話機用楽曲データ再生方法。
【請求項３】
時系列に並んだ複数の旋律データから構成され、先頭に並ぶ第１の旋律データと、この第１の旋律データの後に並ぶ第２の旋律データとを含む楽曲データを記憶する記憶装置と、
この記憶装置から前記旋律データを順次読み出して再生するシーケンサと、
このシーケンサを制御するシーケンサ制御部とを備え、
前記携帯電話機が所定の信号を受信した時または前記携帯電話機がアラームを鳴動させる時に、前記記憶装置から前記第１の旋律データを読み出すように、前記シーケンサに対して、前記シーケンサ制御部が指令すると共に、前記シーケンサが前記記憶装置から前記楽曲データを読み出し終えたことを前記シーケンサ制御部で検出する度に、前記記憶装置から前記第２の旋律データを読み出すように、前記シーケンサに対して、前記シーケンサ制御部が指令することを特徴とする携帯電話機。
【請求項４】
請求項３記載の携帯電話機において、
前記第１の旋律データは、先頭から所定長さの部分に、無音の音符データを含んでおり、
前記携帯電話機が所定信号を受信した旨の情報または前記携帯電話機がアラームを鳴動させる旨の情報を前記シーケンサ制御部が検出したことに応じて、前記シーケンサが、所定時間、前記記憶装置から、前記無音の音符データを読み出して再生することを特徴とする携帯電話機。
【請求項５】
請求項３または４記載の携帯電話機において、
前記シーケンサ制御部に入力されるシーケンサ制御信号を出力する入力装置を備え、
前記シーケンサ制御信号によって、前記楽曲データの任意の部分が、前記シーケンサ制御部に前記第２の旋律データとして認識されることを特徴とする携帯電話機。
【発明の詳細な説明】
【０００１】
【発明の属する技術分野】
この発明は、携帯電話機で楽曲データを再生する方法及び携帯電話機に関するものである。
【０００２】
【従来の技術】
従来、下記の特許文献１に記載された技術があった。
【０００３】
従来技術の目的は、記憶すべき演奏データ量をより削減することが可能な音楽演奏処理装置を提供することである。
【０００４】
また、前記目的を達成するための構成は、複数の音符情報が一連の時系列として並んだシーケンスデータを記憶した音符情報記憶部と、前記音符情報記憶部から前記シーケンスデータを順次読み出して前記音符情報を発音情報として出力するシーケンサーと、前記シーケンスデータの中には前記音符情報に加え、前記シーケンスデータ中の所定の位置に達したときに、前記シーケンスデータ中の特定の位置の音符情報から読み出しを始め、他の特定の位置の音符情報の読み出しを終えたときに元の位置に戻って、次のシーケンスデータの読み出しを続けるよう前記シーケンサーを制御する呼出命令情報が含まれている音楽演奏処理手段である。
【０００５】
【特許文献１】
特開２００２−３６６１５０号公報
【０００６】
【発明が解決しようとする課題】
しかし、前記技術は、楽曲データが終端まで再生された後に、楽曲データの一部である所定の旋律を延々と再生することはできなかった。
【０００７】
そこで、この発明は、前記課題を解決し、楽曲データを表現力豊かに再生できる携帯電話機用楽曲再生方法及び携帯電話機を提供することを目的とする。
【０００８】
【課題を解決するための手段】
この発明は、時系列に並んだ複数の旋律データから構成され、先頭に並ぶ第１の旋律データと、この第１の旋律データの後に並ぶ第２の旋律データとを含む楽曲データを記憶する記憶装置と、この記憶装置から前記旋律データを順次読み出して再生するシーケンサと、このシーケンサを制御するシーケンサ制御部とを用いた携帯電話機用楽曲データ再生方法において、前記携帯電話機が所定の信号を受信した時または前記携帯電話機がアラームを鳴動させる時に、前記シーケンサ制御部が、前記シーケンサに対して、前記記憶装置から、前記第１の旋律データを読み出すように指令する第１の指令ステップと、前記シーケンサが前記記憶装置から前記楽曲データを読み出し終えたことを前記シーケンサ制御部で検出する検出ステップと、この検出結果に応じて、前記シーケンサ制御部が、前記シーケンサに対して、前記記憶装置から前記第２の旋律データを読み出すように指令する第２の指令ステップとを有し、前記第２の指令ステップは、前記楽曲データを読み出し終えたことを検出する度に、前記第２の旋律データを読み出すように指令する携帯電話機用楽曲データ再生方法である。
【０００９】
また、時系列に並んだ複数の旋律データから構成され、先頭に並ぶ第１の旋律データと、この第１の旋律データの後に並ぶ第２の旋律データとを含む楽曲データを記憶する記憶装置と、この記憶装置から前記旋律データを順次読み出して再生するシーケンサと、このシーケンサを制御するシーケンサ制御部とを備え、前記携帯電話機が所定の信号を受信した時または前記携帯電話機がアラームを鳴動させる時に、前記記憶装置から前記第１の旋律データを読み出すように、前記シーケンサに対して、前記シーケンサ制御部が指令すると共に、前記シーケンサが前記記憶装置から前記楽曲データを読み出し終えたことを前記シーケンサ制御部で検出する度に、前記記憶装置から前記第２の旋律データを読み出すように、前記シーケンサに対して、前記シーケンサ制御部が指令する携帯電話機である。
【００１０】
【発明の実施の形態】
実施の形態１．
実施の形態１の携帯電話機の構成を図１に基づいて説明する。携帯電話機１０は、アンテナ２０を介して信号を送受信する信号送受信装置３０にマイクロコンピュータ（シーケンサ制御部）４０が電気的に接続されており、このマイクロコンピュータ４０が、楽曲データ読出装置５０、入力キー６０およびＬＣＤ（Ｌｉｑｕｉｄ  Ｃｒｙｓｔａｌ  Ｄｉｓｐｌａｙ）７０に対し、信号を送信、受信または送受信する。
【００１１】
楽曲データ読出装置５０には、時系列に並んだ複数の旋律データから構成される楽曲データを記憶する記憶装置５２と、記憶装置５２からそれら旋律データを順次読み出して再生するシーケンサ５４と、このシーケンサ５４とＤ／Ａ変換器５６を介して電気的に接続されるスピーカ５８とを備えている。なお、記憶装置５２とシーケンサ５４は、夫々マイクロコンピュータ４０に制御されている。また、楽曲データの有する旋律データのうち、先頭に位置する旋律データは、いわゆるイントロと呼ばれる旋律のデータであるイントロデータである。また、イントロの後ろには、いわゆるサビと呼ばれる旋律のデータであるサビデータが存在する。なお、ここでは、記憶装置５２をマイクロコンピュータ４０と別個に設けたが、記憶装置５２をマイクロコンピュータ４０内の構成としても良い。
【００１２】
この実施の形態で用いる楽曲データＩのデータ構造を図２に基づいて説明する。この実施の形態１で用いる楽曲データは、時系列に並ぶ複数の音符データＩｉ１〜Ｉｉ５によって、いわゆるイントロという旋律を構成するイントロデータと、この後段に並び、時系列に並ぶ複数の音符データＩｓ１〜Ｉｓ１０によって、いわゆるサビという旋律を構成するサビデータとを有する。なお、図においては、イントロデータの前段部に、ヘッダデータＩｈを有しており、例えば、楽曲データＩによって再生される楽曲の名称等の情報を、楽曲データＩに含ませておくことが出来る。
【００１３】
また、この実施の形態で使用するデータは、楽曲データＩの任意の部分に位置する音符データ（この実施の形態ではＩｓ１）に、この音符データと他の音符データとを識別する識別情報が付与されている。また、楽曲データＩの終端のデータ（この実施の形態ではＩｓ１０）には、楽曲データの終端である旨の終端情報が付与されている。
【００１４】
実施の形態１の携帯電話機１０の動作を図３に基づいて説明する。携帯電話機１０に、他の通信装置からの呼出信号が着信すると、アンテナ２０、信号送受信装置３０を介して、マイクロコンピュータ４０に着信した旨の着信信号が入力される（Ｓ１００）。マイクロコンピュータ４０はこの入力によって、シーケンサ５４に対し、記憶装置５２から順次音符データを読み出すように指令する。この指令を受けたシーケンサ５４は、記憶装置５２に記憶されている音符データを読み出す。この場合、まず、イントロデータの先頭に位置する音符データＩｉ１が読み出される。読み出された音符データは、Ｄ／Ａ変換器５６、スピーカ５８によって、音声として再生される（Ｓ１０２）。なお、シーケンサ５４が記憶装置５２から音符データを読み出したとき、マイクロコンピュータ４０はシーケンサ５４によって読み出された音符データを監視することにし、読み出された音符データに、識別情報が付与されているか否かを確認し、その確認結果を記憶装置５２に記憶する（Ｓ１０４）。そして、マイクロコンピュータ４０はその音符データに、楽曲データの終端であることを示す終端情報が付与されていないか否かを確認し、この確認結果が楽曲データの終端でないことを示す場合には、ステップＳ１０２からステップＳ１０６の動作を繰り返す。
【００１５】
以上の動作が音符データＩｉ１〜Ｉｉ５まで続く。そして、音符データＩｓ１がシーケンサ５４によって読み出された時に、マイクロコンピュータ４０は、読み出された音符データに識別情報が付与されていることを検出する。この検出結果は、音符データＩｉ１〜Ｉｉ５までの間に検出された結果とは異なるものとして、記憶装置５２に記憶しておく。その後、再び、同様に音符データＩｓ２〜Ｉｓ１０までを読み出す。
【００１６】
音符データＩｓ１０が読み出されると、マイクロコンピュータ４０は、シーケンサ５４が読み出した音符データに、楽曲データの終端情報が付与されていることを検出する（Ｓ１０６）。
【００１７】
この検出によって、マイクロコンピュータ４０は、記憶装置５２に記憶された識別情報の有無を確認した結果に基づいて、シーケンサ５４が読み出した音符データの中に、識別情報が付与されたものがあったか否かを判定する（Ｓ１０８）。この場合、音符データＩｓ１が読み出された場合に、識別情報が付与されたことを示す結果が記憶装置５２に記憶されているので、識別情報有りを検出する。この検出結果に基づいて、マイクロコンピュータ４０が、、シーケンサ５４に対して、次回読み出す音符データを指定する。指定される音符データは、識別情報を有していた音符データＩｓ１である（Ｓ１１０）。
【００１８】
その後、シーケンサ５４は記憶装置５２から識別情報の付与された音符データＩｓ１を読出し、順次音符データＩｓ２〜１０が読み出される。音符データＩｓ１０が読み出されると、ステップＳ１０８〜Ｓ１１０を繰り返す。
【００１９】
以上の構成、動作によれば、イントロデータが穏やかな旋律のデータで、サビデータが激しい旋律のデータである楽曲データを用いて、着信直後は穏やかな旋律でユーザに応答を促すが、イントロデータが再生された後も、応答しないユーザに対しては激しい旋律で応答を要求する携帯電話機を実現することができる。
【００２０】
また、イントロデータを激しい旋律のデータとし、サビデータを穏やかな旋律のデータにすれば、着信直後は激しくユーザに着信の事実を通知するが、通知にユーザが気がついたものの、諸事情により応答ができない場合は、無駄に騒音を発生させることを抑制し、穏やかに着信の事実を通知しつづけることができる。
【００２１】
なお、以上、携帯電話機１０の着信に応じて携帯電話機１０が楽曲データを再生する場合について説明したが、携帯電話機１０のマイクロコンピュータ４０がアラーム設定時刻であることを検出したことに応じて携帯電話機１０が楽曲データを再生する場合であっても、同様に動作できる。
【００２２】
実施の形態１の効果を説明する。
この実施の形態１の携帯電話機１０は、時系列に並んだ複数の旋律データから構成され、先頭に並ぶ第１の旋律データ（イントロデータ）Ｉｉ１〜Ｉｉ５と、第１の旋律データ（イントロデータ）Ｉｉ１〜Ｉｉ５の後に並ぶ第２の旋律データ（サビデータ）Ｉｓ１〜Ｉｓ１０とを含む楽曲データＩを記憶する記憶装置５２と、記憶装置５２から旋律データ（イントロデータ、サビデータ）Ｉｉ１〜Ｉｉ５、Ｉｓ１〜Ｉｓ１０を順次読み出して再生するシーケンサ５４と、このシーケンサ５４を制御するシーケンサ制御部（マイクロコンピュータ）４０とを用いた携帯電話機用楽曲データ再生方法において、携帯電話機１０が所定の信号（着信信号）を受信した時または携帯電話機１０がアラームを鳴動させる時に、シーケンサ制御部（マイクロコンピュータ）４０が、シーケンサ５４に対して、記憶装置５２から、第１の旋律データを読み出すように指令する第１の指令ステップと、シーケンサ５４が記憶装置５２から楽曲データを読み出し終えたことをシーケンサ制御部（マイクロコンピュータ）４０で検出する検出ステップと、この検出結果に応じて、シーケンサ制御部（マイクロコンピュータ）４０が、シーケンサ５４に対して、記憶装置５２から第２の旋律データ（サビデータ）Ｉｓ１〜Ｉｓ１０を読み出すように指令する第２の指令ステップとを有し、第２の指令ステップは、楽曲データＩを読み出し終えたことを検出する度に、第２の旋律データ（サビデータ）Ｉｓ１〜Ｉｓ１０を読み出すように指令する携帯電話機用楽曲データ再生方法である。
【００２３】
また、時系列に並んだ複数の旋律データ（イントロデータ、サビデータ）Ｉｉ１〜Ｉｉ５、Ｉｓ１〜Ｉｓ１０から構成され、先頭に並ぶ第１の旋律データ（イントロデータ）Ｉｉ１〜Ｉｉ５と、第１の旋律データ（イントロデータ）Ｉｉ１〜Ｉｉ５の後に並ぶ第２の旋律データ（サビデータ）Ｉｓ１〜Ｉｓ１０とを含む楽曲データＩを記憶する記憶装置５２と、記憶装置５２から旋律データ（イントロデータ、サビデータ）Ｉｉ１〜Ｉｉ５、Ｉｓ１〜Ｉｓ１０を順次読み出して再生するシーケンサ５４と、シーケンサ５４を制御するシーケンサ制御部（マイクロコンピュータ）４０とを備え、携帯電話機１０が所定の信号（着信信号）を受信した時または前記携帯電話機１０がアラームを鳴動させる時に、記憶装置５２から第１の旋律データ（イントロデータ）Ｉｉ１〜Ｉｉ５を読み出すように、シーケンサ５４に対して、シーケンサ制御部（マイクロコンピュータ）４０が指令すると共に、シーケンサ５４が記憶装置５２から楽曲データＩを読み出し終えたことをシーケンサ制御部（マイクロコンピュータ）４０で検出する度に、記憶装置５２から第２の旋律データ（サビデータ）Ｉｓ１〜Ｉｓ１０を読み出すように、シーケンサ５４に対して、シーケンサ制御部（マイクロコンピュータ）が指令する携帯電話機１０である。
【００２４】
したがって、楽曲の第１の旋律（イントロ）を再生した後は、第２の旋律（サビ）が繰り返し再生されるので、携帯電話機１０が再生する着信メロディの表現力を向上させることができる。例えば、着信直後は、穏やかな旋律のイントロを提供して、ユーザが心地よく応答できるようにすると共に、イントロが終了しても応答しないユーザに対しては、激しい旋律のメロディを提供し続け、ユーザに対して強烈に応答を求める携帯電話機１０を実現できる。
【００２５】
実施の形態２．
この実施の形態は、楽曲データのサビデータに、実施の形態１のように識別情報が付与されていない場合であっても、携帯電話機１０で、サビデータのみを繰り返し再生することができる点に特徴を有する。
【００２６】
この実施の形態２の携帯電話機の構成は、楽曲データＩを構成する各音符データを記憶している記憶装置５２内の記憶部分をマイクロコンピュータ４０で認識し、音符データを記憶する記憶部分をシーケンサ５４で順次選択して各音符データを読み出す。なお、記憶装置５２の構成は実施の形態１と同様であるが、説明の必要上、記憶装置５２の概念的な構成について図４に基づいて詳しく説明する。
【００２７】
記憶装置５２には、任意の数の楽曲データを記憶する楽曲記憶領域Ｔ１〜Ｔｎ（ｎは任意の整数）が設けられている。また、シーケンサ５４は、楽曲記憶領域Ｔ１を構成する記憶部分ｔ１０１〜ｔ１１５の位置、楽曲記憶領域Ｔ２を構成する記憶部分ｔ２０１〜ｔ２１５の位置、楽曲記憶領域Ｔｎの記憶部分ｔｎ０１〜ｔｎ１５の位置を認識しており、楽曲データＩ１〜Ｉｎのいずれかを再生する場合は、再生する楽曲データの記憶部分を順次選択し、その記憶部分に記憶されている音符データを読み出す。なお、図において、記憶部分ｔ１０１〜ｔ１１５には、音符データＩｉ１〜Ｉｉ５、Ｉｓ１〜Ｉｓ１０が夫々記憶されている。
【００２８】
楽曲データＩの任意の部分から再生するための携帯電話機１０の設定方法について図５に基づいて説明する。まず、シーケンサ５４が、記憶装置５２から順次記憶部分を選択して音符データを順次読み出し、スピーカ５８から音声を再生する。この再生中に、ユーザが任意のタイミングで入力キー６０を操作することによって、キー入力信号（シーケンサ制御信号）がマイクロコンピュータ４０に入力される（Ｓ２００）。この実施の形態では、ユーザが入力キー６０を操作した時に、シーケンサ５４が記憶装置５２から音符データＩｓ１を読み込んでいたとする。
【００２９】
キー入力信号を受信したマイクロコンピュータ４０は、シーケンサ５４がサビデータを再生する時に、最初に読み出す音符データを記憶する記憶部分の位置として、記憶部分ｔ１０６の位置を示す情報を書き込む（Ｓ２０２）。この書き込みによって、シーケンサ５４がサビデータの先頭の音符データの記憶位置を認識することが出来る。
【００３０】
以上の設定がなされた携帯電話機１０が楽曲データＩを再生する場合の動作について図６に基づいて説明する。携帯電話機１０に着信があると、マイクロコンピュータ４０は、シーケンサ５４に、楽曲データＩを読み出すように指令する（Ｓ３００）。この指令に応じて、シーケンサ５４は、記憶部分ｔ１０１に記憶されている音符データＩｉ１を読み出す。そして、読み出された音符データＩｉ１は、Ｄ／Ａ変換器５６およびスピーカ５８によって、音声として再生される（Ｓ３０２）。
【００３１】
その後、シーケンサ５４によって読み出された音符データが、楽曲データＩの終端であるか否かをマイクロコンピュータ４０で確認し（Ｓ３０４）、この確認結果が楽曲データの終端でないことを示す場合は、前回読み出した記憶部分ｔ１０１の後段の記憶部分ｔ１０２から音符データＩｉ２を読み出す（Ｓ３０２、Ｓ３０４）。
【００３２】
以降、同様にして、シーケンサ５４が記憶装置５２から音符データを順次読み出し、音符データＩｓ１０まで読み出す。また、ステップＳ３０６の確認結果が楽曲データの終端であることを示すことをマイクロコンピュータ４０が検出すると、マイクロコンピュータ４０は、シーケンサ５４にサビデータを再生するように指令する（Ｓ３０６）。なお、この指令を受けたシーケンサ５４は、シーケンサ５４で認識している記憶位置ｔ１０６以降の記憶位置を順次選択し、音符データＩｓ１〜Ｉｓ１０を順次再生する。
【００３３】
実施の形態２の効果を説明する。
この実施の形態は、シーケンサ制御部（マイクロコンピュータ）４０に入力されるシーケンサ制御信号を出力する入力装置（入力キー）６０を備え、シーケンサ制御信号によって、楽曲データＩの任意の部分（音符データＩｓ１以降の部分）が、シーケンサ制御部（マイクロコンピュータ）４０に第２の旋律データ（サビデータ）として認識される携帯電話機１０である。
【００３４】
したがって、入力装置（入力キー）６０から出力する信号によって、楽曲データＩの任意の部分（音符データＩｓ１以降の部分）が、シーケンサ制御部（マイクロコンピュータ）４０に第２の旋律データ（サビデータ）として認識されるので、携帯電話機１０の使用者の好みに応じた楽曲データの部分（音符データＩｓ１以降の部分）が第２の旋律データとして設定できるようになる。
【００３５】
実施の形態３．
この実施の形態３では、楽曲データが有する音符データのうち、先頭の音符データＩｉ１から所定個数の音符データは、スピーカ５８から再生されても、ユーザが無音として認識する無音データである。この実施の形態では、例えば、Ｉｉ１〜Ｉｉ３を無音データであるとする。
【００３６】
このようなデータ構造によれば、携帯電話機１０の着信に応じて、まず、無音データＩｉ１〜Ｉｉ３が再生される。その後、楽曲データＩの終端に位置する音符データＩｓ１０が再生された後、音符データＩｓ１〜Ｉｓ１０が繰り返し再生される。なお、以上の説明では、イントロデータＩｉ１〜Ｉｉ５のうち、音符データＩｉ１〜Ｉｉ３を無音データとしたが、イントロデータ内の全ての音符データＩｉ１〜Ｉｉ５を無音データとしても良い。
【００３７】
この実施の形態の効果を説明する。
この実施の形態では、第１の旋律データ（イントロデータ）Ｉｉ１〜Ｉｉ５は、先頭から所定長さの部分に、無音の音符データＩｉ１〜Ｉｉ３を含んでおり、第１の指令ステップＳ１００に応じて、所定時間、記憶装置５２から無音の音符データＩｉ１〜Ｉｉ３が読み出される携帯電話機用楽曲データ再生方法である。
【００３８】
また、第１の旋律データ（イントロデータ）Ｉｉ１〜Ｉｉ５は、先頭から所定長さの部分に、無音の音符データＩｉ１〜Ｉｉ３を含んでおり、携帯電話機１０が所定信号（着信信号）を受信した旨の情報または前記携帯電話機１０がアラームを鳴動させる旨の情報をシーケンサ制御部（マイクロコンピュータ）４０が検出したことに応じて、シーケンサ５４が、所定時間、記憶装置５２から、前記無音の音符データＩｉ１〜Ｉｉ３を読み出して再生する携帯電話機１０である。
【００３９】
したがって、携帯電話機１０は所定時間無音の音符データＩｉ１〜Ｉｉ３を再生するので、ワンコールだけの呼出には携帯電話機１０が鳴動しない。したがって、ワンコールだけの呼出による不便を解消できる。例えば、迷惑なワンコール呼出によって睡眠が妨げられることを防止できる。
【００４０】
さらに、携帯電話機１０が終端まで再生された後は、第１の旋律データ（イントロデータ）Ｉｉ１〜Ｉｉ５は再生せずに、第２の旋律データ（サビデータ）Ｉｓ１〜Ｉｓ１０を再生する。したがって、楽曲データＩが終端まで再生された後に、無音の音符データＩｉ１〜Ｉｉ３を再生しないでもよく、連続した楽曲再生を実現できる。
【００４１】
【発明の効果】
この発明は、時系列に並んだ複数の旋律データから構成され、先頭に並ぶ第１の旋律データと、この第１の旋律データの後に並ぶ第２の旋律データとを含む楽曲データを記憶する記憶装置と、この記憶装置から前記旋律データを順次読み出して再生するシーケンサと、このシーケンサを制御するシーケンサ制御部とを用いた携帯電話機用楽曲データ再生方法において、前記携帯電話機が所定の信号を受信した時または前記携帯電話機がアラームを鳴動させる時に、前記シーケンサ制御部が、前記シーケンサに対して、前記記憶装置から、前記第１の旋律データを読み出すように指令する第１の指令ステップと、前記シーケンサが前記記憶装置から前記楽曲データを読み出し終えたことを前記シーケンサ制御部で検出する検出ステップと、この検出結果に応じて、前記シーケンサ制御部が、前記シーケンサに対して、前記記憶装置から前記第２の旋律データを読み出すように指令する第２の指令ステップとを有し、前記第２の指令ステップは、前記楽曲データを読み出し終えたことを検出する度に、前記第２の旋律データを読み出すように指令する携帯電話機用楽曲データ再生方法である。
【００４２】
したがって、楽曲の第１の旋律を再生した後は、第２の旋律が繰り返し再生されるので、携帯電話機が再生する着信メロディの表現力を向上させることができる。
【００４３】
また、時系列に並んだ複数の旋律データから構成され、先頭に並ぶ第１の旋律データと、この第１の旋律データの後に並ぶ第２の旋律データとを含む楽曲データを記憶する記憶装置と、この記憶装置から前記旋律データを順次読み出して再生するシーケンサと、このシーケンサを制御するシーケンサ制御部とを備え、前記携帯電話機が所定の信号を受信した時または前記携帯電話機がアラームを鳴動させる時に、前記記憶装置から前記第１の旋律データを読み出すように、前記シーケンサに対して、前記シーケンサ制御部が指令すると共に、前記シーケンサが前記記憶装置から前記楽曲データを読み出し終えたことを前記シーケンサ制御部で検出する度に、前記記憶装置から前記第２の旋律データを読み出すように、前記シーケンサに対して、前記シーケンサ制御部が指令する携帯電話機である。
【００４４】
したがって、楽曲の第１の旋律を再生した後は、第２の旋律が繰り返し再生されるので、携帯電話機が再生する着信メロディの表現力を向上させることができる。
【図面の簡単な説明】
【図１】実施の形態１の携帯電話機の構成図である。
【図２】実施の形態１で用いるデータ構造を表す図である。
【図３】実施の形態１の携帯電話機の動作を表すフローチャート図である。
【図４】記憶装置の構成を概念的に表す図である。
【図５】実施の形態２の設定時のフローチャート図である。
【図６】実施の形態２の着信時のフローチャート図である。
【符号の説明】
１０：携帯電話機
４０：シーケンサ制御部（マイクロコンピュータ）
５２：記憶装置                    ５４：シーケンサ。
【図１】
2004258187.tif 000003
【図２】
2004258187.tif 000004
【図３】
2004258187.tif 000005
【図４】
2004258187.tif 000006
【図５】
2004258187.tif 000007
【図６】
2004258187.tif 000008